(57)【要約】【課題】カメラの底板の変形を抑制することができるカメラブラケットを提供する。【解決手段】ほぼ円筒状の載せ台３の外周面にカメラ載置板６をねじ結合する。カメラ載置板６に設けられた長孔６２にカメラ固定ねじ６３を通し、更にカメラ固定ねじ６３をカメラ載置板上に載置されたカメラ２２の底板のねじ穴にねじ込むようにした。【選択図】図１
2008033023.tif 000002
【特許請求の範囲】
【請求項１】
ほぼ円筒状の載せ台と、
前記載せ台のカメラ載置側の外周面に結合されるカメラ載置板と、
前記カメラ載置板に設けられた通し孔に通され、前記カメラ載置板上に載置されたカメラの底板の連結穴に装着されるカメラ固定部材と
を備えていることを特徴とするカメラブラケット。
【請求項２】
前記カメラ載置板に前記カメラの底板に接触する凸部が設けられていることを特徴とする請求項１記載のカメラブラケット。
【請求項３】
前記カメラ載置板の板厚方向の強度が前記カメラの底板の板厚方向の強度より低いことを特徴とする請求項１又は２記載のカメラブラケット。
【発明の詳細な説明】
【技術分野】
【０００１】
この発明は、カメラに例えば望遠鏡等を装着するときに用いられるカメラブラケットに関する。
【背景技術】
【０００２】
従来、この種のカメラブラケットとして、カメラを搭載するためのほぼ円筒状の載せ台と、この載せ台に固定され装着されるカメラの前面と対向する位置に設けられる主板と、この主板に固定され、カメラのレンズ部が位置決めされる装着器主環と、主板に固定され、ケーブルレリーズの先端部を保持するレリーズ板とを備えたものが知られている（下記非特許文献参照）。
【０００３】
載せ台にはその下部から上部の径方向へ延びるねじ通し孔が設けられている。
【０００４】
ねじを載せ台のねじ通し孔に通し、そのねじの先端部を円板を介してカメラの底板の三脚取付用ねじ穴にねじ込む。その結果、カメラが載せ台の外周面に固定される。
【０００５】
載せ台に搭載されたカメラに接続される望遠鏡は装着器主環によって保持される。
【非特許文献１】２００６年４月２５日発行、ニコンコンパクトデジタルカメラブラケットＦＳＢ−４のパンフレット
【発明の開示】
【発明が解決しようとする課題】
【０００６】
上述のカメラブラケットでは、１本のねじによってカメラが円筒状の載せ台の外周面に円板を介して固定される構造であるため、カメラ側の三脚取付用ねじ穴とこの穴にねじ込まれたねじとの結合部に荷重が集中しやすい。
【０００７】
そのため、載せ台よりも強度的に弱いカメラの底板が変形する虞があった。
【０００８】
この発明はこのような事情に鑑みてなされたもので、その課題はカメラをカメラブラケットに設置した際にカメラの底板の変形を抑制することができるカメラブラケットを提供することである。
【課題を解決するための手段】
【０００９】
前述の課題を解決するためこの発明のカメラブラケットは、ほぼ円筒状の載せ台と、前記載せ台のカメラ載置側の外周面に結合されるカメラ載置板と、前記カメラ載置板に設けられた通し孔に通され、前記カメラ載置板上に載置されたカメラの底板の連結穴に装着されるカメラ固定部材とを備えていることを特徴とする。
【発明の効果】
【００１０】
この発明によればカメラをカメラブラケットに取り付ける際のカメラの底板の変形を抑制することができる。
【発明を実施するための最良の形態】
【００１１】
以下、この発明の実施の形態を図面に基づいて説明する。
【００１２】
図１はこの発明の一実施形態に係るカメラブラケットを示し、同図（ａ）は正面図、同図（ｂ）は同図（ａ）のＡ−Ａ線に沿う断面図、同図（ｃ）は側面図である。
【００１３】
図１に示すように、カメラブラケット１は載せ台３と主板４と装着器主環５とカメラ載置板６と第１位置決め部材７と第２位置決め部材８とを備える。
【００１４】
載せ台３は２つの大径部３１，３２を有する円筒と１つの小径部３３を有する円筒とを有する。小径部３３は大径部３１と大径部３２とを結合する。大径部３１にはその径方向へ延びるねじ通し孔３１ａが形成されている。ねじ通し孔３１ａには固定ねじ３４が挿入されている。
【００１５】
主板４の左側の部分（図１（ａ）において主板４の左側部分）はリング状部４１であり、主板４の右側の部分（図１（ａ）において主板４の右側部分）は平板部４２である。
【００１６】
主板４は間隔調整環４３を介して座金４４を装着した飾りボルト４５で載せ台３に固定されている。
【００１７】
装着器主環５は３つの止めねじ５１によって主板４のリング状部４１に固定されている。装着器主環５にはその径方向へ延びるねじ通し孔５２が形成されている。ねじ通し孔５２には固定ねじ５３が挿入されている。固定ねじ５３にはＥリング５４が装着されている。
【００１８】
装着器主環５には、後述する光学機器、例えば望遠鏡（図１（ｃ）には望遠鏡の接眼部２１だけが示されている。）が固定ねじ５３によって固定される。
【００１９】
カメラ載置板６はほぼ矩形であり、その一端部には鳩目状のボス６１が取り付けられている。ボス６１にはねじ穴６１ａが形成されている。ボス６１は載せ台３のねじ通し孔３１ａに挿入される。カメラ載置板６の中央部には長孔（通し孔）６２が形成されている。長孔６２にはカメラ固定ねじ（カメラ固定部材）６３が通されている。カメラ固定ねじ６３には抜止め用円板６４が装着されている。カメラ載置板６の両端部には凸部６５が形成されている。カメラ載置板６はデジタルカメラ２２の底板（図示せず）より撓みやすい。カメラ固定ねじ６３はカメラ載置板６上に配置されたデジタルカメラ２２の三脚取付け用連結穴（図示せず）にねじ込まれる。その結果、カメラ載置板６上にデジタルカメラ２２が固定される。このとき、カメラ載置板６の中央部はデジタルカメラ２２の方へ撓むので、カメラ載置板６が元の状態に戻ろうとする弾性力によって凸部６５がデジタルカメラ２２の底板に強く押し付けられる。デジタルカメラ２２はカメラ載置板６に強固に固定される。
【００２０】
主板４の左端には第１位置決め部材７が配置され、主板４の右端には第２位置決め部材８が配置されている。
【００２１】
第１位置決め部材７は４種類のデジタルカメラの左側部分（カメラをファインダ方向から見たときの向かって左側）の前面（カメラのレンズ側の面）及び側面（カメラをファインダ方向から見たときの向かって左側の側面）を位置決めするための４つの面７１〜７４を有している。
【００２２】
第２位置決め部材８はレリーズ板９を介在させて固定ねじ（図示せず）により主板４に固定されている。第２位置決め部材８は主板４からの高さが異なる突当て面８１，８２を有する。突当て面８１は例えばカメラＡのデジタルカメラの前面に接触し、主板４に対してデジタルカメラの前面の光軸方向の位置を位置決めする。突当て面８２は例えばデジタルカメラＢの前面に接触し、主板４に対してデジタルカメラの前面を位置決めする。
【００２３】
レリーズ板９はデジタルカメラ２２のシャッターボタン（図示せず）に対向する対向片９１を有する。
【００２４】
対向片９１にはレリーズ座１１が取り付けられている。レリーズ座１１はケーブルレリーズ（図示せず）を保持する。レリーズ座１１には摺動部材１２がシャッターボタン押圧方向へ摺動可能に取り付けられている。
【００２５】
このカメラブラケット１にデジタルカメラ２２を取り付けるには、予め、第１位置決め部材７の面７１（面７１がデジタルカメラ２２に対応するものとする。）がデジタルカメラ２２の左側部分に対向するように設定しておく。
【００２６】
次に、カメラ載置板６のボス６１を載せ台３の大径部３１の貫通孔３１ａに挿入し、更に、固定ねじ３４をねじ通し孔３１ａに挿入し、固定ねじ３４をボス６１のねじ穴６１ａにねじ込む。その結果、カメラ載置板６が載せ台３上に固定される。
【００２７】
その後、デジタルカメラ２２の左側部分の前面及び側面を第１位置決め部材７の面７１に突き当てる。
【００２８】
これとほぼ同時に、デジタルカメラ２２の右側（カメラをファインダ方向から見たときの向かって右側）部分の前面（カメラのレンズ側面）を第２位置決め部材８の突当て面８１に突き当てる。
【００２９】
以上のようにして、デジタルカメラ２２は主板４に位置決めされる。この状態でカメラ載置板６に取り付けられたカメラ固定ねじ６３をデジタルカメラ２２の三脚取付け用ねじ穴にねじ込む。
【００３０】
次に、固定ねじ５３により、望遠鏡２１を装着器主環５に固定する。望遠鏡２１は装着器主環５によって主板４に対して正確に位置決めされる。したがって、望遠鏡２１の光軸とデジタルカメラ２２の光軸とが一致する。
【００３１】
以上のように、デジタルカメラ２２をカメラ固定ねじ６３でカメラ載置板６に固定し、更にカメラ載置板６を固定ねじ３４で載せ台４に固定するようにしたので、デジタルカメラ２２に外力が加わっても、荷重がカメラ固定ねじ６３と固定ねじ３４とに分散する。その結果、デジタルカメラ２２の底板の変形を抑制できる。
【００３２】
また、カメラ載置板６をデジタルカメラ２２の底板よりも撓みやすくしたので、カメラ固定ねじ６３をデジタルカメラ２２の三脚取付け用ねじ穴にねじ込むと、カメラ載置板６が撓み、その弾性力によってカメラ載置板６の凸部６５がデジタルカメラ２２の底板に圧接する。その結果、カメラ載置板６にデジタルカメラ２２を強固に固定することができる。
【００３３】
なお、この実施形態では、カメラ載置板６に凸部６５を設けたが、必ずしも凸部６５を設ける必要はない。凸部６５を設けない場合、カメラ載置板６はデジタルカメラの底板に面接触し、底板の板厚を厚くしたのと同様の作用が生じ、デジタルカメラの底板の変形を抑制することができる。
【００３４】
また、この実施形態では、カメラ載置板６をデジタルカメラ２２の底板より撓み易くしたが、必ずしもこのようにする必要はなく、カメラ載置板６の撓みやすさをデジタルカメラ２２の底板と同等にしてもよい。
【００３５】
また、一般的にカメラの底板には複数の突起が設けられており、カメラを置いた際にカメラの底板との間に隙間が生じるように設計されている。これを利用し、カメラ載置板６とカメラ底板との間に隙間を構成させれば、カメラ載置板６が平面状であっても、撓み効果によるカメラ底板の変形を防止することができる。
【図面の簡単な説明】
【００３６】
【図１】図１はこの発明の一実施形態に係るカメラブラケットを示す図である。
【符号の説明】
【００３７】
３：載せ台、６：カメラ載置板、６２：長孔（通し孔）、６３：カメラ固定ねじ（カメラ固定部材）、２２：デジタルカメラ。
【図１】
2008033023.tif 000003